【手続補正書】
【提出日】平成25年9月2日(2013.9.2)
【手続補正１】
【補正対象書類名】明細書
【補正対象項目名】発明の名称
【補正方法】変更
【補正の内容】
【発明の名称】入力装置、入力方法及びプログラム
【手続補正２】
【補正対象書類名】明細書
【補正対象項目名】０００１
【補正方法】変更
【補正の内容】
【０００１】
本発明は、操作に応じた入力処理を行う入力装置、入力方法及びプログラムに関する。
【手続補正３】
【補正対象書類名】明細書
【補正対象項目名】０００６
【補正方法】変更
【補正の内容】
【０００６】
上述した課題を解決するために請求項１記載の発明は、
操作に応じた入力処理を行う入力装置であって、
該装置本体の外表面に配設されているタッチセンサであって、該装置本体が手に持たれた状態でどの位置に人体が接触してどの位置に人体が接触していないかの接触状態を検出する接触状態検出手段と、
前記接触状態検出手段により検出された人体が接触している接触位置に基づいて該装置本体がどのような状態で手に持たれて保持されているかの保持状態を判別する保持状態判別手段と、
前記接触状態検出手段により検出された人体が接触していない非接触位置の中から前記保持状態判別手段により判別された保持状態に適した操作位置を選択し、その操作位置に所定機能のタッチ操作部を割り当てる割当手段と、
を備えることを特徴とする
請求項１に従属する発明として、
前記タッチセンサは、前記接触検出手段として機能するとともに、前記所定機能のタッチ操作部としても機能する、
ことを特徴とする請求項２記載の発明であってもよい。
【手続補正４】
【補正対象書類名】明細書
【補正対象項目名】０００７
【補正方法】変更
【補正の内容】
【０００７】
請求項１或いは請求項２に従属する発明として、
前記保持状態判別手段は、右手片手持ち、左片手持ち、両手持ちのいずれで保持されているかを保持状態として判別すると共に、右手片手持ち、左片手持ち、両手持ち毎にどの位置に人体が接触しているかの接触位置を保持状態として判別する、
ようにしたことを特徴とする、請求項３記載の発明であってもよい。
【手続補正５】
【補正対象書類名】明細書
【補正対象項目名】０００８
【補正方法】変更
【補正の内容】
【０００８】
請求項１〜請求項３のいずれかに従属する発明として、
前記装置本体の姿勢を検出する姿勢検出手段を更に備え、
前記保持状態判別手段は、装置本体が手に持たれている保持状態を判別する場合に、前記姿勢検出手段により検出された装置本体の姿勢毎に保持状態を判別する、
ようにしたことを特徴とする、請求項４記載の発明であってもよい。
【手続補正６】
【補正対象書類名】明細書
【補正対象項目名】０００９
【補正方法】変更
【補正の内容】
【０００９】
請求項１〜請求項４のいずれかに従属する発明として、
前記割当手段は、前記保持状態判別手段により判別された保持状態に適した操作位置を選択する場合に、予め決められている操作指の近傍にある前記非接触位置を操作位置として選択する、
ようにしたことを特徴とする、請求項５記載の発明であってもよい。
【手続補正７】
【補正対象書類名】明細書
【補正対象項目名】００１０
【補正方法】変更
【補正の内容】
【００１０】
請求項１〜請求項５のいずれかに従属する発明として、
前記割当手段により前記非接触位置に所定機能のタッチ操作部を割り当てた際に、その位置を識別表示する識別表示手段を更に備える、
ようにしたことを特徴とする、請求項６記載の発明であってもよい。
【手続補正８】
【補正対象書類名】明細書
【補正対象項目名】００１１
【補正方法】変更
【補正の内容】
【００１１】
請求項６に従属する発明として、
前記タッチセンサは、タッチスクリーンとしてのタッチ画面によって構成され、
前記識別表示手段は、前記割当手段により前記非接触位置に所定機能のタッチ操作部が割り当てられた際に、該位置にそのタッチ操作部の機能名を識別表示させる、
ようにしたことを特徴とする、請求項７記載の発明であってもよい。
【手続補正９】
【補正対象書類名】明細書
【補正対象項目名】００１２
【補正方法】変更
【補正の内容】
【００１２】
請求項１〜請求項７のいずれかに従属する発明として、
各種の動作モードの中から現在切り換えられている動作モードを判別する動作モード判別手段を更に備え、
前記割当手段は、所定機能のタッチ操作部を割り当てる際に、前記動作モード判別手段により判別された現在の動作モードに応じた種類の機能を持ったタッチ操作部を割り当てる、
ようにしたことを特徴とする、請求項８記載の発明であってもよい。
【手続補正１０】
【補正対象書類名】明細書
【補正対象項目名】００１３
【補正方法】変更
【補正の内容】
【００１３】
請求項１〜請求項８のいずれかに従属する発明として、
被写体を撮像する撮像手段を更に備え、
前記割当手段は、前記撮像手段を制御する撮像に関する機能のタッチ操作部を割り当てる、
ようにしたことを特徴とする、請求項９記載の発明であってもよい。
【手続補正１１】
【補正対象書類名】明細書
【補正対象項目名】００１４
【補正方法】変更
【補正の内容】
【００１４】
請求項１〜請求項８のいずれかに従属する発明として、
画像を記憶する画像記憶手段を更に備え、
前記割当手段は、前記画像記憶手段内の画像再生に関する機能のタッチ操作部を割り当てる、
ようにしたことを特徴とする、請求項１０記載の発明であってもよい。
【手続補正１２】
【補正対象書類名】明細書
【補正対象項目名】００１５
【補正方法】変更
【補正の内容】
【００１５】
請求項１〜請求項８のいずれかに従属する発明として、
電子書籍を取得する取得手段を更に備え、
前記割当手段は、前記取得手段により取得した電子書籍の閲覧に関する機能のタッチ操作部を割り当てる、
ようにしたことを特徴とする、請求項１１記載の発明であってもよい。
【手続補正１３】
【補正対象書類名】明細書
【補正対象項目名】００１６
【補正方法】変更
【補正の内容】
【００１６】
請求項１〜請求項１１のいずれかに従属する発明として、
前記タッチセンサは、装置本体の外表面に配設されている複数のタッチセンサであり、
前記接触状態検出手段は、前記複数のタッチセンサのうち、どの位置のタッチセンサに人体が接触してどの位置のタッチセンサに人体が接触していないかの接触状態を検出する、
ようにしたことを特徴とする、請求項１２記載の発明であってもよい。
【手続補正１４】
【補正対象書類名】明細書
【補正対象項目名】００１７
【補正方法】変更
【補正の内容】
【００１７】
請求項１〜請求項１２のいずれかに従属する発明として、
前記割当手段は、複数の非接触位置に対応して、機能の異なるタッチ操作部をそれぞれ割り当てる、
ようにしたことを特徴とする、請求項１３記載の発明であってもよい。
また、上述した課題を解決するために請求項１４記載の発明は、
操作に応じた入力処理を行う入力装置における入力方法であって、
該装置本体の外表面に配設されているタッチセンサであって、該装置本体が手に持たれた状態でどの位置に人体が接触してどの位置に人体が接触していないかの接触状態を検出する接触状態検出工程と、
前記接触状態検出工程により検出された人体が接触している接触位置に基づいて該装置本体がどのような状態で手に持たれて保持されているかの保持状態を判別する保持状態判別工程と、
前記接触状態検出工程により検出された人体が接触していない非接触位置の中から前記保持状態判別工程により判別された保持状態に適した操作位置を選択し、その操作位置に所定機能のタッチ操作部を割り当てる割当工程と、
を含むことを特徴とする。
【手続補正１５】
【補正対象書類名】明細書
【補正対象項目名】００１８
【補正方法】変更
【補正の内容】
【００１８】
また、上述した課題を解決するために請求項１５記載の発明は、
操作に応じた入力処理を行うコンピュータに、
該装置本体の外表面に配設されているタッチセンサであって、該装置本体が手に持たれた状態でどの位置に人体が接触してどの位置に人体が接触していないかの接触状態を検出する接触状態検出機能と、
前記接触状態検出機能により検出された人体が接触している接触位置に基づいて該装置本体がどのような状態で手に持たれて保持されているかの保持状態を判別する保持状態判別機能、
前記接触状態検出機能により検出された人体が接触していない非接触位置の中から前記保持状態判別機能により判別された保持状態に適した操作位置を選択し、その操作位置に所定機能のタッチ操作部を割り当てる割当機能、
を実現させるためのプログラム、であることを特徴とする。
【手続補正１６】
【補正対象書類名】特許請求の範囲
【補正対象項目名】全文
【補正方法】変更
【補正の内容】
【特許請求の範囲】
【請求項１】
操作に応じた入力処理を行う入力装置であって、
該装置本体の外表面に配設されているタッチセンサであって、該装置本体が手に持たれた状態でどの位置に人体が接触してどの位置に人体が接触していないかの接触状態を検出する接触状態検出手段と、
前記接触状態検出手段により検出された人体が接触している接触位置に基づいて該装置本体がどのような状態で手に持たれて保持されているかの保持状態を判別する保持状態判別手段と、
前記接触状態検出手段により検出された人体が接触していない非接触位置の中から前記保持状態判別手段により判別された保持状態に適した操作位置を選択し、その操作位置に所定機能のタッチ操作部を割り当てる割当手段と、
を備えることを特徴とする入力装置。
【請求項２】
前記タッチセンサは、前記接触検出手段として機能するとともに、前記所定機能のタッチ操作部としても機能する、
ようにしたことを特徴とする請求項１記載の入力装置。
【請求項３】
前記保持状態判別手段は、右手片手持ち、左片手持ち、両手持ちのいずれで保持されているかを保持状態として判別すると共に、右手片手持ち、左片手持ち、両手持ち毎にどの位置に人体が接触しているかの接触位置を保持状態として判別する、
ようにしたことを特徴とする請求項１或いは請求項２記載の入力装置。
【請求項４】
前記装置本体の姿勢を検出する姿勢検出手段を更に備え、
前記保持状態判別手段は、装置本体が手に持たれている保持状態を判別する場合に、前記姿勢検出手段により検出された装置本体の姿勢毎に保持状態を判別する、
ようにしたことを特徴とする請求項１〜請求項３のいずれかに記載の入力装置。
【請求項５】
前記割当手段は、前記保持状態判別手段により判別された保持状態に適した操作位置を選択する場合に、予め決められている操作指の近傍にある前記非接触位置を操作位置として選択する、
ようにしたことを特徴とする請求項１〜請求項４のいずれかに記載の入力装置。
【請求項６】
前記割当手段により前記非接触位置に所定機能のタッチ操作部を割り当てた際に、その位置を識別表示する識別表示手段を更に備える、
ようにしたことを特徴とする請求項１〜請求項５のいずれかに記載の入力装置。
【請求項７】
前記タッチセンサは、タッチスクリーンとしてのタッチ画面によって構成され、
前記識別表示手段は、前記割当手段により前記非接触位置に所定機能のタッチ操作部が割り当てられた際に、該位置にそのタッチ操作部の機能名を識別表示させる、
ようにしたことを特徴とする請求項６記載の入力装置。
【請求項８】
各種の動作モードの中から現在切り換えられている動作モードを判別する動作モード判別手段を更に備え、
前記割当手段は、所定機能のタッチ操作部を割り当てる際に、前記動作モード判別手段により判別された現在の動作モードに応じた種類の機能を持ったタッチ操作部を割り当てる、
ようにしたことを特徴とする請求項１〜請求項７のいずれかに記載の入力装置。
【請求項９】
被写体を撮像する撮像手段を更に備え、
前記割当手段は、前記撮像手段を制御する撮像に関する機能のタッチ操作部を割り当てる、
ようにしたことを特徴とする請求項１〜請求項８のいずれかに記載の入力装置。
【請求項１０】
画像を記憶する画像記憶手段を更に備え、
前記割当手段は、前記画像記憶手段内の画像再生に関する機能のタッチ操作部を割り当てる、
ようにしたことを特徴とする請求項１〜請求項８のいずれかに記載の入力装置。
【請求項１１】
電子書籍を取得する取得手段を更に備え、
前記割当手段は、前記取得手段により取得した電子書籍の閲覧に関する機能のタッチ操作部を割り当てる、
ようにしたことを特徴とする請求項１〜請求項８のいずれかに記載の入力装置。
【請求項１２】
前記タッチセンサは、装置本体の外表面に配設されている複数のタッチセンサであり、
前記接触状態検出手段は、前記複数のタッチセンサのうち、どの位置のタッチセンサに人体が接触してどの位置のタッチセンサに人体が接触していないかの接触状態を検出する、
ようにしたことを特徴とする請求項１〜請求項１１のいずれかに記載の入力装置。
【請求項１３】
前記割当手段は、複数の非接触位置に対応して、機能の異なるタッチ操作部をそれぞれ割り当てる、
ようにしたことを特徴とする請求項１〜請求項１２のいずれかに記載の入力装置。
【請求項１４】
操作に応じた入力処理を行う入力装置における入力方法であって、
該装置本体の外表面に配設されているタッチセンサであって、該装置本体が手に持たれた状態でどの位置に人体が接触してどの位置に人体が接触していないかの接触状態を検出する接触状態検出工程と、
前記接触状態検出工程により検出された人体が接触している接触位置に基づいて該装置本体がどのような状態で手に持たれて保持されているかの保持状態を判別する保持状態判別工程と、
前記接触状態検出工程により検出された人体が接触していない非接触位置の中から前記保持状態判別工程により判別された保持状態に適した操作位置を選択し、その操作位置に所定機能のタッチ操作部を割り当てる割当工程と、
を含むことを特徴とする入力方法。
【請求項１５】
操作に応じた入力処理を行うコンピュータに、
該装置本体の外表面に配設されているタッチセンサであって、該装置本体が手に持たれた状態でどの位置に人体が接触してどの位置に人体が接触していないかの接触状態を検出する接触状態検出機能と、
前記接触状態検出機能により検出された人体が接触している接触位置に基づいて該装置本体がどのような状態で手に持たれて保持されているかの保持状態を判別する保持状態判別機能、
前記接触状態検出機能により検出された人体が接触していない非接触位置の中から前記保持状態判別機能により判別された保持状態に適した操作位置を選択し、その操作位置に所定機能のタッチ操作部を割り当てる割当機能、
を実現させるためのプログラム。